(57)【特許請求の範囲】
【請求項１】
運動療法によるリハビリテーションのために、脳波信号を処理するリハビリテーション用脳波信号処理装置であって、脳のリハビリ対象部位に対応する運動野付近から採取された脳波信号について、所定周波数成分の信号強度の時間変化を検出する検出部と、当該検出部により所定周波数成分の信号強度の時間変化が検出され、前記信号強度が安静時信号強度範囲から随意運動時信号強度範囲に遷移する時間変化が検出されると、身体の随意運動を補助するリハビリテーション用運動補助装置の補助動作をさせるように制御する制御信号を出力し、前記信号強度が随意運動信号強度範囲から安静時信号強度範囲に遷移する時間変化が検出されると前記リハビリテーション用運動補助装置の補助動作を元に戻すように制御する制御信号出力部と、前記脳波信号を採取するために頭部に装着される電極パッドを備え、前記電極パッドは、基台と、前記基台から突出する複数の突起状電極と、分散媒が導電性を有するジェルから構成されることを特徴とするリハビリテーション用脳波信号処理装置。
【請求項２】
運動療法によるリハビリテーションのために、脳波信号を処理するリハビリテーション用脳波信号処理装置であって、脳のリハビリ対象部位に対応する運動野付近から採取された脳波信号について、所定周波数成分の信号強度の時間変化を検出する検出部と、当該検出部により所定周波数成分の信号強度の時間変化が検出され、前記信号強度が安静時信号強度範囲から随意運動時信号強度範囲に遷移する時間変化が検出されると、身体の随意運動を補助するリハビリテーション用運動補助装置の補助動作をさせるように制御する制御信号を出力し、前記信号強度が随意運動信号強度範囲から安静時信号強度範囲に遷移する時間変化が検出されると前記リハビリテーション用運動補助装置の補助動作を元に戻すように制御する制御信号出力部と、前記脳波信号を採取するために頭部に装着される電極パッドを備え、前記電極パッドは、基台と、前記基台から突出する複数の突起状電極と、保水性を有する柔軟性材料に導電性液体を保持する導電層から構成され、前記導電層は少なくとも前記複数の突起状電極の間を充填するとともに、前記突起状電極の先端が前記導電層に埋没するか、又は、前記導電層の表面と面一であることを特徴とするリハビリテーション用脳波信号処理装置。
【請求項３】
請求項１または２記載のリハビリテーション用脳波信号処理装置と、身体の随意運動の機能回復のためにその随意運動を補助するリハビリテーション用運動補助装置とを備え、前記リハビリテーション用運動補助装置は、前記リハビリテーション用脳波信号処理装置から出力される前記制御信号により動作が制御されることを特徴とするリハビリテーションシステム。
【発明の詳細な説明】
【技術分野】
【０００１】
本発明は、運動療法によるリハビリテーションの際に、随意運動を補助するために用いられるリハビリテーション用脳波信号処理装置、及びリハビリテーションシステムに関する。
【背景技術】
【０００２】
従来から、脳卒中などの脳疾患や事故等を原因として、身体の一部が麻痺したり、運動機能が低下したりして、随意運動が不能又は低下した場合、その随意運動の機能を回復するために、様々なリハビリテーションが行われる。このリハビリテーションのうち、障害部位を運動させて運動機能の回復を図る方法は運動療法と呼ばれており、広く行われている。
【０００３】
この運動療法では、患者自身にて身体を動かすのみの場合と比較して、様々な意識付けや補助の元で身体を動かすほうが効果的であることが知られている。たとえば、片麻痺患者が麻痺側の手を使って物を把持する運動を行う場合は、患者が把持運動を行うとともに、その動きを外部から介助することで、リハビリテーションの効果を上げることができる。
【０００４】
この運動療法は、一般的には、理学療法士などの医療スタッフが患者の傍に付き添い、患者の動きに合わせながらリハビリ対象部位を動かすようにして、患者の動きを介助することにより行われることが多い。近年は、リハビリ装置を用いた運動療法も取り入れられている。
【０００５】
例えば、特許文献１には、複数の装着部の間に懸架されるアクチュエータと、筋肉の動きを検知するセンサを備え、検知した筋肉の動きにもとづいて、アクチュエータを制御する動作支援装置が開示されている。また、特許文献２には、力センサや位置・角度センサのセンシング情報をもとに、力制御や位置制御によって動作が制御されるリハビリテーション装置であり、筋硬度計により訓練者の下肢の筋硬度を計測し、計測された筋硬度に応じて股や膝や足関節の最大屈曲角度を変化させるように、下肢駆動部を駆動する技術が開示されている。
【先行技術文献】
【特許文献】
【０００６】
【特許文献１】特開２００８−１２３５８号公報
【特許文献２】特開２００４−０８１５７６号公報
【非特許文献】
【０００７】
【非特許文献１】牛場潤一，頭皮脳波を用いたBrain MachineInterface のリハビリテーション応用，The Japanese Journal of Rehabilitation Medicine，２０１０年，VOL. 47, NO. 2，pp. 79-83
【発明の概要】
【発明が解決しようとする課題】
【０００８】
ところで、この介助を伴う運動療法を効果的に行うには、患者の随意運動に合わせてタイミング良く随意運動を補助することが必要である。しかしながら、理学療法士などの人手による補助の場合は、補助者が患者の随意運動の様子を見ながらタイミングを合わせる必要がある。このため、タイミング良く補助を行うには熟練を要し、更に、随意運動が微弱又は不能な重度の患者については、熟練者であってさえ、そのタイミングを図ることは極めて困難な状況にあった。また、上記特許文献１や特許文献２のような装置では、筋肉の動きや硬度を検知して装置を駆動させるため、患者による随意運動が必要であり、随意運動が検知されない程に微弱である場合や、まったく動かないような重度の患者に対しては効果が得られなかった。
【０００９】
本発明は、このような実情に鑑みてなされたものであり、随意運動をタイミングよく補助することができ、特に、随意運動が微弱又は不能な重度の患者に対しても、適切なタイミングで随意運動を補助することができ、これにより高いリハビリ効果を得ることが可能となるリハビリテーション用脳波信号処理装置、及びリハビリテーションシステムを提供することを目的とする。
【課題を解決するための手段】
【００１０】
本願発明者は、運動療法のリハビリテーションにおいて、適切なタイミングで随意運動を補助することが可能な方法を鋭意模索した。その結果、患者が随意運動を行うか、又は、随意運動を想起すると、事象関連脱同期により脳波に変化が生じることから、この変化を検出してリハビリテーション装置を連動させることにより、随意運動をタイミング良く補助することが可能となり、また、脳波は随意運動を行ったときのみならず、想起しただけでも変化が生じることから、特に随意運動が微弱又は不能な重度の患者に対しても、適切なタイミングで運動を補助することが可能となると考えた。そして、発明者等は、更に、実験や検証を重ねた結果、例えば脳全体から採取した脳波を用い、すべての周波数成分を対象として随意運動時の脳波の変化を検出し、リハビリテーション装置を連動させても、リハビリの効果はいっこうに得られないが、例えば左手のリハビリテーションであれば左手運動野付近から脳波を採取するといったように、リハビリ対象部位に対応する運動野付近から脳波を採取し、更にその脳波のうち所定周波数成分に限定して変化を検出し、リハビリテーション装置を連動させると、非常に高いリハビリ効果が得られることを新たに見出し、本発明を完成させるに至った。
【００１１】
本発明のリハビリテーション用脳波信号処理装置は、運動療法によるリハビリテーションのために、脳波信号を処理するリハビリテーション用脳波信号処理装置であって、脳のリハビリ対象部位に対応する運動野付近から採取された脳波信号について、所定周波数成分の信号強度の時間変化を検出する検出部と、当該検出部により所定周波数成分の信号強度の時間変化が検出され、前記信号強度が安静時信号強度範囲から随意運動時信号強度範囲に遷移する時間変化が検出されると、身体の随意運動を補助するリハビリテーション用運動補助装置の補助動作をさせるように制御する制御信号を出力し、前記信号強度が随意運動信号強度範囲から安静時信号強度範囲に遷移する時間変化が検出されると前記リハビリテーション用運動補助装置の補助動作を元に戻すように制御する制御信号出力部と、前記脳波信号を採取するために頭部に装着される電極パッドを備え、前記電極パッドは、基台と、前記基台から突出する複数の突起状電極と、分散媒が導電性を有するジェルから構成されることを特徴とする。
本発明のリハビリテーション用脳波信号処理装置は、運動療法によるリハビリテーションのために、脳波信号を処理するリハビリテーション用脳波信号処理装置であって、脳のリハビリ対象部位に対応する運動野付近から採取された脳波信号について、所定周波数成分の信号強度の時間変化を検出する検出部と、当該検出部により所定周波数成分の信号強度の時間変化が検出され、前記信号強度が安静時信号強度範囲から随意運動時信号強度範囲に遷移する時間変化が検出されると、身体の随意運動を補助するリハビリテーション用運動補助装置の補助動作をさせるように制御する制御信号を出力し、前記信号強度が随意運動信号強度範囲から安静時信号強度範囲に遷移する時間変化が検出されると前記リハビリテーション用運動補助装置の補助動作を元に戻すように制御する制御信号出力部と、前記脳波信号を採取するために頭部に装着される電極パッドを備え、前記電極パッドは、基台と、前記基台から突出する複数の突起状電極と、保水性を有する柔軟性材料に導電性液体を保持する導電層から構成され、前記導電層は少なくとも前記複数の突起状電極の間を充填するとともに、前記突起状電極の先端が前記導電層に埋没するか、又は、前記導電層の表面と面一であることを特徴とする。
【００１２】
また、本発明のリハビリテーションシステムは、前記リハビリテーション用脳波信号処理装置と、身体の随意運動の機能回復のためにその随意運動を補助するリハビリテーション用運動補助装置とを備え、前記リハビリテーション用運動補助装置は、前記リハビリテーション用脳波信号処理装置から出力される前記制御信号により動作が制御されることを特徴とする。
【００１３】
上述の通り、脳波は随意運動を行ったときや、随意運動を想起したときに変化が生じるが、この発明によれば、使用者から採取する脳波について、所定周波数成分の信号強度の時間変化を検出し、その時間変化に基づいて、リハビリテーション用運動補助装置の動作が制御される。これにより、随意運動に付随して生じる脳波の変化に合わせてリハビリテーション用補助装置が動作することとなり、随意運動をタイミング良く補助することができる。脳波は随意運動が行われたときのみならず、随意運動を想起したときにも変化が生じることから、特に、随意運動が微弱又は不能な重度の患者に対しても、タイミング良く補助することが可能となる。ここで、脳波信号としては、リハビリ対象部位に対応する運動野付近から採取された脳波信号を用い、更に、その脳波信号のうち所定周波数成分のみに限定して、時間変化を検出することが非常に重要である。上述したように、例えば、脳全体から採取した脳波信号のすべての周波数成分について時間変化を検出しても、リハビリ効果はいっこうに得られないが、リハビリ対象部位に対応する運動野付近から脳波信号を採取し、更にその脳波信号のうち所定周波数成分に限定して時間変化を検出することで、非常に高いリハビリ効果が得られるためである。これは、発明者等が新たに見出し、初めて装置として実現したものである。
【００１４】
例えば、本発明のリハビリテーション用脳波信号処理装置は、前記検出部における時間変化の検出対象となる所定周波数成分の周波数の値を設定する周波数設定部を備える。
【００１５】
随意運動に付随してどの周波数成分が変化するかは、使用者の属性（年齢、性別など）、障害の状態、障害の部位、個人差、その他、個別具体的な様々な要因により異なる。これは、発明者等が実験等により新たに見出した事象であり、それによれば、周波数設定部により検出対象とする所定周波数成分の周波数の値を設定できるため、様々なケースに対応可能となる。
【００１６】
例えば、本発明のリハビリテーション用脳波信号処理装置は、前記検出部における所定周波数成分の信号強度の時間変化を検出するときの、検出条件を設定する検出条件設定部を備える。
【００１７】
随意運動に付随して所定周波数成分の信号強度がどのように変化するかは、使用者の属性（年齢、性別など）、障害の状態、障害の部位、個人差、その他、個別具体的な様々な要因により異なる。これは、発明者等が実験等により新たに見出した事象であり、それによれば、検出条件設定部により検出条件を設定できるため、様々なケースに対応可能となる。
【００１８】
前記電極パッドは、前記リハビリテーション用脳波信号処理装置とともに用いられ、前記脳波信号を採取するために頭部に装着される電極パッドであり、基台と、前記基台から突出する複数の突起状電極と、分散媒が導電性を有するジェルから構成されるか、又は、保水性を有する柔軟性材料に導電性液体を保持する導電層を備え、前記導電層は少なくとも前記複数の突起状電極の間を充填するとともに、前記突起状電極の先端が前記導電層に埋没するか、又は、前記導電層の表面と面一であることを特徴とする。ここで、ジェルは、高粘性の分散質により流動性を失うことで系全体として固体状となっており、押圧力により分散媒が外部に染み出すものである。
【００１９】
前記リハビリテーション用脳波信号処理装置に用いる脳波信号を採取するためには、数マイクロボルトオーダーの電位を増幅できる増幅装置が必要であるが、従来の電極を用いた場合、頭皮―電極間のインピーダンスが数百メガオーム／１０Ｈｚのため、有用な脳波信号を採取することは困難であった。このため、本発明のリハビリテーション用脳波信号処理装置に有用な脳波信号を採取するためには、頭皮―電極間のインピーダンスを低下させることが重要な課題である。この発明によれば、電極パッドを頭部に押し当てながら動かすと、柔軟性を有する導電層が変形して複数の突起状電極の先端が導電層から突出するとともに、頭髪を掻き分けて頭皮に確実に接触する。このとき、導電層と頭皮との間には頭髪が挟まることから、頭髪の厚みにより導電層の表面が凹状となり、頭部と導電層との間には間隙が生じるが、その間隙には導電層から染み出す導電性分散媒又は導電性液体が充填される。これにより、突起状電極のみならず、導電層及び染み出した導電性分散媒又は導電性液体でも通電可能となり、インピーダンスが低減され、上記リハビリテーション用脳波信号処理装置に有用な脳波信号を採取することができる。
【発明の効果】
【００２０】
本発明のリハビリテーション用脳波処理装置とリハビリテーションシステムによれば、脳波信号の所定周波数成分の信号強度の時間変化に合わせてリハビリテーション用補助装置を連動させることができることから、適切なタイミングで随意運動を補助することが可能となる。とくに、随意運動が微弱又は不能な重度の患者の場合は、人手による補助ではタイミングを図ることが極めて困難であり、又、筋肉の動きを検知して動作するような従来の装置では効果が得られないが、本発明によれば、脳波の変化に基づいてリハビリテーション用補助装置を動作させることができるため、このような重度の患者に対しても適切なタイミングで随意運動を補助することができる。そして、本発明では、リハビリ対象部位に対応する運動野から脳波信号を採取し、その脳波信号のうち所定周波数成分に限定して変化を検出することにより、非常に高いリハビリ効果を得ることができる。
【００２１】
前記電極パッドによれば、突起状電極のみならず、その間に充填される導電層及びその導電層から染み出す導電性分散媒又は導電性液体によっても通電可能となるため、インピーダンスを低減させることができ、本発明のリハビリテーション用脳波信号処理装置に用いられる脳波信号を採取するに好適な電極パッドとなる。
【図面の簡単な説明】
【００２２】
【図１】本発明の第一の実施の形態として示すリハビリテーションシステムの構成を示す図である。
【図２】本発明の実施の形態として示すリハビリテーション用運動補助装置の一例を示す図である。
【図３】本発明の第二の実施の形態として示すリハビリテーションシステムの構成を示す図である。
【図４】本発明の第三の実施の形態として示すリハビリテーションシステムの構成を示す図である。
【図５】本発明の実施の形態として示す電極パッドを側面の側から説明する説明図であり、（ａ）はその一例、（ｂ）は他の例を示す図である。
【図６】（ａ）は上記実施の形態の電極パッドの使用状態を説明する説明図であり、（ｂ）はその一部拡大図である。
【図７】実験１における電極の配置を示す図である。
【図８】実験１におけるタスクの内容を説明する説明図である。
【図９】実験１における左手把持運動想起時の実験結果を示す図であり、（ａ）は右手運動野付近から採取された脳波信号の信号強度のデータ、（ｂ）は左手運動野付近から採取された脳波信号の信号強度のデータである。
【図１０】実験１における右手把持運動想起時の実験結果を示す図であり、（ａ）は右手運動野付近から採取された脳波信号の信号強度のデータ、（ｂ）は左手運動野付近から採取された脳波信号の信号強度のデータである。
【図１１】実験１における足を動かす随意運動想起時の実験結果を示す図であり、（ａ）は右手運動野付近から採取された脳波信号の信号強度のデータ、（ｂ）は左手運動野付近から採取された脳波信号の信号強度のデータである。
【図１２】実験１及び実験２において、各データの脳波信号の信号強度の導出方法を説明する説明図である。
【図１３】実験２における電極の配置を示す図である。
【図１４】実験２におけるタスクの内容を説明する説明図である。
【図１５】実験２における左手把持運動想起時の実験結果を示す図であり、（ａ）は右手運動野付近から採取された脳波信号の信号強度のデータ、（ｂ）は左手運動野付近から採取された脳波信号の信号強度のデータである。
【図１６】実験３及び実験４に用いた電極パッドを説明する説明図であり、（ａ）は比較対象となる電極パッド、（ｂ）は本発明の電極パッドを示す図である。
【図１７】実験３の結果を示す図である。
【図１８】実験４の結果を示す図である。
【発明を実施するための形態】
【００２３】
＜第一の実施の形態＞
本発明を適用した具体的な実施の形態について図面を参照しながら以下に詳細に説明する。本実施の形態は、脳疾患や事故等を原因として、身体の一部が麻痺したり、随意運動が低下又は不能な患者に対して、運動療法によるリハビリテーションを行うためのリハビリテーションシステムである。ここでは、左手指麻痺により把持運動が困難となった患者のリハビリテーションに用いられるシステムを例に説明するが、これに限られるものではなく、例えば、肩や肘、上腕、腰、下肢、上肢など、身体の随意運動のリハビリテーションに用いられるものであれば良い。
【００２４】
図１は、本実施の形態のリハビリテーションシステムＳ１を説明する説明図である。リハビリテーションシステムＳ１は、リハビリテーション用脳波信号処理装置１０と、リハビリテーション用運動補助装置２０とを備える。
【００２５】
リハビリテーション用脳波信号処理装置１０は、検出部１１と、制御信号出力部１２とを備える。
【００２６】
検出部１１は、採取された脳波信号について、所定周波数成分の信号強度の時間変化を検出する機能を備える。
【００２７】
ここで、脳波信号は、リハビリ対象部位に対応する運動野付近から採取された脳波信号であることが重要である。リハビリ対象部位に対応する運動野付近から採取した脳波を用いなければ、リハビリ効果が得られないためである。これは、本願発明者が実験等により新たに見出した事象である。本実施の形態では、リハビリ対象部位が左手であるため、左手運動野付近から採取された脳波信号を用いる。
【００２８】
脳波信号は、使用者の頭部に設置される脳波取得手段により採取される。例えば、直径が１ｃｍ程度の大きさからなる銀塩化銀電極等から構成される一般的な脳波信号採取用の電極を用いても良いが、脳波信号を取得できるものであれば、これに限られない。ただし、脳波信号を精度良く取得するためには、後述する本発明の電極パッドを用いることが好ましい。
【００２９】
この脳波信号は、増幅及びＡ／Ｄ変換され、ディジタルデータとされた脳波信号が周波数解析されて、各周波数成分の信号強度を示す信号強度データ（周波数時間領域のスペクトルデータ）が得られる。この信号強度データは、外部装置として準備されたディジタル脳波計により得られるものを用いても良いし、リハビリテーション用脳波信号処理装置１０の内部機能により得られるものを用いても良い。
【００３０】
リハビリテーション用脳波信号処理装置１０の内部機能として準備されるときは、使用者の頭部Ｈに配置された脳波取得手段を介して取得した脳波信号を解析することにより周波数成分の強度を測定する測定部１３として実現される。くわしくは、測定部１３は、増幅部１３ａとＡ／Ｄ変換部１３ｂと蓄積部１３ｃと解析部１３ｄを備え、脳波信号が信号処理部１３にリアルタイム且つ時系列に入力されると、増幅部１３ａにより所定の利得で増幅され，この増幅部１３ａにより増幅されたアナログ形式の脳波信号はＡ／Ｄ変換部１３ｂによりディジタル形式に変換され，Ａ／Ｄ変換部１３ｂによりディジタル形式に変換された脳波信号は蓄積部１３ｃに蓄積され、蓄積部１３ｃに蓄積された脳波信号は解析部１３ｄにおいて周波数解析されて各周波数成分の信号強度を示す信号強度データが生成される。この解析部１３ｄでは、蓄積部１３ｃに蓄積されたディジタルデータとしての脳波信号を所定のサンプリング周期で所定時間分だけ読み出し、ＦＦＴやＭＥＭなどの周波数解析を行うことにより、周波数成分ごとに時系列にて信号強度を求め、周波数時間領域におけるパワースペクトルデータが生成される。なお、サンプリング周期は、処理のリアルタイム性を確保し且つエイリアジングを生じない程度であれば良い。
【００３１】
上記測定部１３は、外部装置（脳波計）の一部として準備されても良い。この場合は、周波数成分ごとの信号強度を時系列に測定可能な脳波計が用いられ、この脳波計がリハビリ用脳波信号処理装置１０に接続されるとともに、脳波計から出力された測定値（周波数時間領域におけるスペクトルデータ）が、リハビリ用脳波信号処理装置１０にリアルタイム且つ時系列に入力される。入力された測定値は、メモリなどにより実現される蓄積部に蓄積される。
【００３２】
このようにして、外部装置として準備された脳波計、又は、リハビリテーション用脳波信号処理装置１０の内部機能として準備された測定部１３により得られる脳波信号の周波数成分ごとの信号強度のデータは、リアルタイム且つ時系列に検出部１１に引き渡される。
【００３３】
検出部１１は、引き渡された周波数成分ごとの信号強度のデータを用いて、所定周波数成分の信号強度の時間変化を検出する機能を備える。ここで、時間変化の検出対象は所定周波数成分に限定されることが重要である。これは、リハビリ対象部位に対応する運動野付近から採取した脳波信号であり、更に、その脳波信号のうち所定周波数成分に限定しなければ、高いリハビリ効果が得られないためである。これは、本願発明者が新たに見出した事象である。なお、所定周波数成分の周波数の値は、ケースに応じて決定されれば良い。これは、随意運動に付随してどの周波数成分が変化するかは、使用者の属性（年齢、性別など）、障害の状態、障害の部位、個人差、その他、個別具体的な様々な要因により異なるためである。
【００３４】
検出部１１における検出は、たとえば、次のように行われる。本実施の形態では、使用者が安静状態から把持運動を行うか又は想起すると、所定周波数成分の信号強度は安静時よりも低い値を示し、把持状態を解除して安静状態となると、所定周波数成分の信号強度は把持運動又は把持運動想起時よりも高い値を示す。これは、安静時は左手運動野付近の神経細胞が同期的に活動しているが、把持運動時又は把持運動想起時には非同期に活動し、特定の周波数成分の信号強度が下がるためである。そこで、検出部１１は、上記の通りリアルタイム且つ時系列に受け取った信号強度のデータから、所定周波数成分の信号強度を抽出し、その信号強度が随意運動又は随意運動想起時の信号強度の範囲（以下、随意運動時信号強度範囲という。）であるか、安静時の信号強度の範囲（以下、安静時信号強度範囲という。）であるかを常時監視する。そして、検出部１１は、その信号強度の安静時信号強度範囲から随意運動時信号強度範囲への変化を、安静状態から随意運動状態に移行したときの信号強度の時間変化として検出し、随意運動時信号強度範囲から安静時信号強度範囲への変化を、随意運動状態から安静状態に移行したときの信号強度の時間変化として検出する。
【００３５】
さらに詳しくは、検出部１１は、安静時信号強度範囲と随意運動時信号強度範囲の境界値を閾値とし、信号強度が閾値以下となると、安静状態から随意運動又は随意運動想起状態に変化したときの脳波信号強度の時間変化として検出し、閾値よりも上回ると、随意運動又は随意運動想起状態から安静状態に変化したときの信号強度の時間変化として検出する。なお、閾値は予め定められていても良いし、使用者ごとに適切な閾値を設定可能としても良い。また、閾値は、安静時信号強度を複数回測定して平均値を算出し、平均安静時信号強度に対する随意運動時信号強度の割合（％）としても良い。この場合、記憶部には、自動算出又は人為的な入力により、平均安静時信号強度、及び、閾値（平均安静時信号強度に対する随意運動時信号強度の割合（％））が記憶されることとなる。そして、検出部１１は、記憶部に記憶されている平均安静時信号強度と閾値を参照し、信号強度のデータを受け取ると、平均安静時強度信号に対する随意運動時信号強度の割合を算出し、算出した割合と閾値（平均安静時信号強度に対する随意運動時信号強度の割合）と比較することにより、時間変化を検出する。なお、この場合、閾値は通常は５％から３０％の間で設定すれば良いが、これに限るものではなく、患者の訓練度合い等に応じて適宜設定すれば良い。また、閾値の設定方法は、これに限るものではなく、パターン認識に使われている様々な方法が使用できる。例えば、線形判別分析(Linear Discriminant Analysis ;LAD)やサポートベクターマシン(Support Vector Machine ;SVM)といった方法でもよいし、信号強度の値を直接設定しても良いし、安静時信号強度範囲と随意運動信号強度範囲との境界を判断可能であればどのようなものでもよい。
【００３６】
また、所定周波数成分は、単一の周波数成分（例えば１０ヘルツ）でも良いし、複数の周波数成分（例えば、１０ヘルツと２５ヘルツ）でも良いし、所定の周波数帯域に含まれる周波数成分（例えば、５ヘルツから１５ヘルツ、及び、２０ヘルツから３０ヘルツ）でも良いし、時間変化を精度良く検出できる周波数成分を用いれば良い。所定の周波数帯域に含まれる周波数成分の時間変化を検出するときは、例えば、検出部１１は、その周波数帯域内のいずれかの周波数成分の信号強度が随意運動時信号強度範囲内となると、安静状態から随意運動又は随意運動想起状態に移行したときの信号強度の時間変化として検出し、すべての周波数成分の信号強度が安静時信号強度範囲内となると、随意運動又は随意運動想起状態から安静状態時に移行したときの信号強度の時間変化として検出する。
【００３７】
前記信号強度の時間変化は、運動部位や運動の仕方により異なるため、検出部１１による検出は、それに応じた検出方法とすれば良い。たとえば、下肢においては、安静状態から随意運動又は随意運動想起を行うと脳波信号の信号強度は低から高に変化し、随意運動を終了して安静状態に戻ると脳波信号の信号強度は高から低に変化するため、検出部１１は、周波数成分が閾値以上となると、安静状態から随意運動又は随意運動想起状態に移行したときの信号強度の時間変化として検出し、周波数成分が閾値よりも下回ると、随意運動又は随意運動想起状態から安静状態時に移行したときの信号強度の時間変化として検出すれば良い。
【００３８】
制御信号出力部１２は、検出部１１により所定周波数成分の信号強度の時間変化が検出されると、リハビリテーション用運動補助装置２０の動作を制御する制御信号を出力する機能を備える。たとえば、制御信号出力部１２は、検出部１１により、信号強度が安静時信号強度範囲から随意運動時信号強度範囲に遷移する（本実施の形態では閾値以下となる）時間変化が検出されると、リハビリテーション用運動補助装置２０を初期姿勢（手掌を開いた状態）から把持姿勢とする制御信号（後述するモータ２２ａ１を所定角度回転させる制御信号）を出力し、検出部１１により、信号強度が随意運動時信号強度範囲から安静時信号強度範囲に遷移する（本実施の形態では閾値を上回る）時間変化が検出されると、リハビリテーション用運動補助装置２０を把持姿勢から初期姿勢とする制御信号（後述するモータ２２ａ１を所定角度だけ逆回転させる制御信号）を出力する。すなわち、制御信号出力部１２は、検出される時間変化に応じて、制御信号を選択的に出力するようになっている。
【００３９】
検出部１１及び制御信号出力部１２、及び、測定部１３がリハビリテーション用脳波信号処理装置１０の一部として構成される場合は増幅部１３ａやＡ／Ｄ変換部１３ｂや解析部１３ｄは、例えば、コンピュータにおけるＣＰＵ（Central Processing Unit）やメモリ等のハードウェアを用いて実行可能なプログラムとして実装したり、コンピュータに装着可能な拡張ボードに搭載されたＤＳＰ（Digital Signal Processor）等の専用プロセッサを用いて実装したりすることができ、また、蓄積部１３ｃは、検出部１１及び制御信号出力部１２の機能を実現するコンピュータ等の装置に内蔵又は外付け可能なハードディスクやその他の各種記憶媒体を用いて構成することができる。
【００４０】
リハビリテーション用運動補助装置２０は、リハビリ対象部位の随意運動を補助する機能を備えるものであり、例えば、リハビリテーション対象部位に装着される装着部をモータやアクチュエータ等の駆動部により動かすことで関節を屈曲・伸展させることにより、随意運動を補助するものである。その一例を図２に示す。リハビリテーション用運動補助装置２０は、把持運動が困難となった患者に用いられ、把持運動の回復訓練を行うためのものであり、装着部２１と駆動部２２を備える。なお、理解の容易のために、図２にはリハビリテーション補助装置２０を手Ｈｎに装着した状態を示す。
【００４１】
装着部２１は、リハビリ対象部位に装着されるものであり、互いに連結されるとともに連結箇所が可動する複数の部材から構成される。本実施の形態では、手Ｈｎに装着されるものであり、装着部第一部材２１ａと装着部第二部材２１ｂとを備える。装着部第一部材２１ａは、手首から手掌を被覆するプレートであり、第１手指が挿入される第１手指用孔２１ａ１が設けられている。なお、手Ｈｎの運動の自由度を高めるために手背側は開口部２１ａ２を有し、手Ｈｎが被覆されない形状となっている。装着部第二部材２１ｂは、第２手指から第５手指を一体的に支持するプレートである。この装着部第二部材２１ｂは、第２手指から第５手指の外周を覆うように略楕円形状に湾曲させたプレートにて構成されており、これら四本の手指を内側に挿入すると、これらの手指を手掌側から支持するとともに、手指先端が外部に突き出る形状となっている。装着部第一部材２１ａと装着部第二部材２１ｂは、後述する動力伝達部（詳しくは動力伝達部第二部材２２ｂ２）を介して互いに接離する方向（すなわち、第１手指に対して第二手指から第５手指が接離するような方向）に可動するように連結されている。なお、装着部第一部材２１ａは固定手段２１ｃにて手首に固定され、装着部第二部材２１ｂは固定部材２１ｄにて手指に固定されている。固定部材２１ｃ，２１ｄは面状テープであるが、その他、ベルト等でも良い。
【００４２】
駆動部２２は、装着部２１の動きの駆動源２２ａと、その駆動源２２ａの動力を装着部２１に伝達する動力伝達部２２ｂとを備える。
【００４３】
駆動源２２ａは、モータ２２ａ１と、モータ２２ａ１を制御する制御回路２２ａ２とを備える。制御回路２２ａ２は、リハビリテーション用脳波信号処理装置１０の制御信号出力部１２と有線又は無線により通信可能に接続されており、リハビリテーション用脳波信号処理装置１０の制御信号出力部１２から発せられる制御信号を受信して、モータ２２ａ１を所定の回転角度で回転動作させる信号を出力し、モータ２２ａ１は、制御回路２２ａ２からの信号を受信するとその回転角度で回転動作する。モータ２２ａ１と制御回路２２ａ２は装着部第一部材２１ａに取り付けられて固定されている。なお、駆動源２２ａには、電源と接続する電源ケーブル又はバッテリー、及び、リハビリテーション用脳波信号処理装置１０との通信手段（通信ケーブル等）が接続されているが、図２においては省略してある。
【００４４】
動力伝達部２２ｂは、動力伝達部第一部材２２ｂ１と動力伝達部第二部材２２ｂ２とを備える。動力伝達部第一部材２２ｂ１は、細長形状のプレートであり、一端側がモータ２２ａ１に連結され、他端側が動力伝達部第二部材２２ｂ２に連結されている。動力伝達部第二部材２２ｂ２は、略Ｌ字形状に屈曲したプレートであり、屈曲部を境に一方側は第２手指に添えるように、他方側は手甲側に突出するような姿勢にて配置され、一方側は装着部第一部材２１ｂに固定されており、屈曲箇所において連結部材（ボルト）２２ｂ３により装着部第一部材２１ｂに回動可能に連結されている。
【００４５】
上述の通り、本実施の形態は、手の把持運動が困難な患者に対してリハビリテーションを行う場合を例示したものであることから、リハビリテーション用運動補助装置２０は手に装着するものであるが、例えば、上腕や下肢などの他の部位の随意運動の機能回復を目的とする場合は、リハビリ対象となる部位の随意運動に応じたリハビリテーション用運動補助装置を用いれば良い。
【００４６】
また、リハビリテーション用運動補助装置２０には、所定動作以外の動作を行わないように、安全装置が付加されていることが好ましい。たとえば、モータ２２ａ１の回転角度を所定角度内に抑制するストッパーを備え、モータ２２ａ１が所定角度の範囲を超えて回転しないようにして、誤動作による危険を防止すれば良い。
【００４７】
本実施の形態のリハビリテーションシステムＳ１の使用態様を以下に説明する。使用者は、リハビリ対象部位にリハビリテーション用運動補助装置２０を装着する。くわしくは、使用者は、装着部第一部材２１ａに手を入れて孔２２ｂ３に第１手指を挿入し、第２手指から第５手指は装着部第二部材２１ｂに挿入し、固定部材２１ｃ、２１ｄにて固定する。
【００４８】
また、使用者は、脳波取得手段としての電極を所定箇所に配置して取り付ける。電極は、例えば、国際１０−２０法に準拠して配置しても良いし、リハビリ対象部位の運動野付近の脳波信号が採取できる位置に配置すれば良い。この状態にて、電極により採取された脳波信号が測定部１３に入力され、増幅部１３ａにて増幅され、Ａ／Ｄ変換部１３ｂにてアナログ信号がディジタル信号に変換され、蓄積部１３ｃに時系列に蓄積され、その蓄積部１３ｃに蓄積された脳波信号が解析部１４ｄによる解析により周波数成分ごとに信号強度が求められ、周波数時間領域における信号強度データがリアルタイムに得られる。この信号強度データは、リアルタイムに検出部１１に引き渡され、所定の周波数成分の信号強度データに時間変化が現れるか常時監視される状態となる。
【００４９】
ここで、随意運動に付随して変化する周波数成分は、使用者の属性（年齢、性別など）、障害の状態、障害の部位、個人差、その他、個別具体的な様々な要因により異なる（なお、上述のように、これは発明者等が新たに見出した事象である。）ため、所定周波数成分をどの周波数成分とするかはケースに応じて決定すれば良い。たとえば、使用者が脳卒中患者の場合、障害部位の随意運動に関連した脳活動を作り出す脳内の回路において、脳波信号に障害が生じ、例えば、健常者であれば１０Ｈｚの周波数成分で変化が生じるところ、脳卒中患者の場合はその周波数成分の信号が障害されて、より高い周波数の周波数成分に変化が生じることがあることから、その周波数成分を個別具体的に特定して変化を検出すれば良い。
【００５０】
次に、使用者はリハビリテーション用運動補助装置２０を装着した後、身体を安静状態とする。安静状態を維持したままでは、所定周波数成分の信号強度に変化は現れないため、検出部１１において時間変化は検出されない。
【００５１】
その後に、使用者は、リハビリ対象部位の随意運動を行うか、又は、随意運動を想起する。本実施の形態では、把持運動を一例として説明するため、使用者は第２手指から第５手指を第１手指に接する方向に動かす把持運動を行うか、又は、把持運動を想起する。すると、この随意運動により、リハビリ対象部位の運動野付近で事象関連脱同期（ＥＲＤ）が起きて脳波信号の所定周波数成分に変化するため、検出部１１においてその時間変化が検出される。本実施の形態では、検出部１１は、リアルタイムに得られる信号強度データを監視し、所定周波数成分の信号強度が安静時信号強度範囲内の値から随意運動時信号強度範囲内の値に変化すると、この信号強度の変化を安静状態から随意運動（把持運動）を行った又は想起した状態に移行したときの信号強度の時間変化として検出する。ここで、検出部１１における検出は、時間変化が検出される方法であれば良いが、本実施の形態では、予め設定されている閾値と所定周波数成分の信号強度とを比較し、信号強度が閾値以下又は閾値より上となる変化により判断している。信号強度が閾値以下に変化すると、随意運動（把持運動）を行うか又は想起したときの信号強度の時間変化として検出し、信号強度が閾値を上回る変化を示すと、随意運動から安静状態に移行したときの信号強度の時間変化として検出する。
【００５２】
前記信号強度の時間変化が検出部１１で検出されると、制御信号出力部１２はリハビリテーション用運動補助装置２０の動作を制御する制御信号を出力する。ここでは、リハビリテーション用運動補助装置２０の駆動部２２のモータ２２ａ１を所定角度で回転動作させる信号を出力することとなる。詳細には、検出部１１において、信号強度が安静時信号強度範囲から随意運動時信号強度範囲に遷移する変化が検出されると、リハビリテーション用運動補助装置２０の駆動部２２のモータ２２ａ１を把持状態となる方向に回転動作させる制御信号を出力し、随意運動時信号強度範囲から安静時信号強度範囲に遷移する変化が検出されると、モータ２２ａ１を逆回転させて初期姿勢に戻す制御信号を出力する。
【００５３】
制御信号出力部１２によりリハビリテーション用脳波処理装置１０から出力された制御信号は、リハビリテーション用運動補助装置２０の制御回路２２ａ２に入力される。制御回路２２ａ２は、制御信号を受信すると、その受信した制御信号に基づく動作をモータ２２ａ１に実行させる電気信号を出力する。ここでは、所定の回転角度でモータ２２ａ１を回転動作させる電気信号を出力することとなる。
【００５４】
リハビリテーション用運動補助装置２０は、制御回路２２ａ２から出力される電気信号に従ってモータ２２ａ１が所定角度に回転動作すると、動力伝達部第一部材２２ｂ１が前方（手指先端方向）に押し出されるとともに、動力伝達部第一部材２２ｂ１に連結されている動力伝達部第二部材２２ｂ２が連結部材２２ｂ３を回転軸として所定角度で回転し、装着部第二部材２１ｂが装着部第一部材２１ａに接する方向（第２手指から第５手指が第１手指に接する方向）に動作する。次の電気信号が入力されるまでモータ２２ａ１はその姿勢を維持し、装着部２１は把持の姿勢が継続される。
【００５５】
使用者が随意運動（把持運動）を継続している間、又は、想起している間、信号強度は運動時信号強度範囲内（閾値以下）の値を示すが、随意運動又は想起を終了させ、安静状態に戻ると、信号強度が安静時信号強度範囲内（閾値より上）の値を示し、それが検出部１１において信号強度の時間変化として検出される。検出部１１にてこの時間変化が検出されると、制御信号出力部１２は、モータ２２ａ１を所定の回転角度で逆回転動作をさせることで姿勢を初期姿勢（第２手指から第５手指を第１手指から離して手掌を開いた状態）に戻す制御信号を出力する。
【００５６】
このようにして、装着部第二部材２１ｂを装着している第２手指から第５手指までが第１手指に対して接離する方向に動かされ、把持運動の補助が行われることとなる。これにより、筋肉や皮膚の感覚神経が活動し、その情報が脳に到達することで、神経の再構築が行われ、高いリハビリ効果が得られることとなる。
【００５７】
このように、リハビリテーションシステムＳ１によれば、使用者が随意運動を行うか、又は、想起すると、リハビリテーション用脳波信号処理装置１０にて脳波信号の時間変化が検出されてリハビリテーション用運動補助装置２０が動作するため、随意運動を行ったタイミング、又は、想起したタイミングに合わせて、随意運動の補助を行うことが可能となる。脳波信号の信号強度の時間変化に合わせてリハビリテーション用運動補助装置２０が動作するため、特に随意運動が極めて微弱又は不能な重度の患者に対してもタイミング良く随意運動を補助することができ、非常に好適である。とくに、脳波信号はリハビリ対象部位に対応する運動野付近から採取し、更に、その採取された脳波信号のうち、個別具体的なケースに応じて所定周波数成分に限定し、その限定された所定周波数成分について時間変化を検出するため、非常に高いリハビリ効果が得られる。
【００５８】
＜第二の実施の形態＞
図３は、本実施の形態のリハビリテーションシステムＳ２を説明する説明図である。リハビリテーションシステムＳ２は、上記リハビリテーションシステムＳ１に機能が追加されたものであり、検出部１０の検出対象となる所定周波数成分の周波数の値を設定する周波数設定部１４を備える。随意運動に付随してどの周波数成分が変化するかは、使用者の属性、リハビリ対象部位、障害の状態、個人差など、様々な要因により異なる。これは、発明者等が実験等により新たに見出した事象である。そこで、検出対象とする周波数成分の周波数の値を設定可能とすることにより、様々なケースに対応可能とした。なお、上記実施の形態と同一要素については同一の符号を用いて説明を省略する。
【００５９】
周波数設定部１４は、人為的に設定値が入力されても良いし、データ解析により自動設定されても良い。
【００６０】
人為的に設定値が入力される場合、リハビリテーション用脳波信号処理装置１０は、入力部１５から入力された周波数の値を、周波数設定部１４が受け付け、その周波数の値を記憶部１６に記憶する。入力部１５は、キーボードやマウス等により任意に入力可能としても良いし、ダイヤルやボタンにより周波数の値を選択的に設定することにより入力可能としても良い。また、設定値は表示部（図示せず）に表示されるようにしても良い。また、記憶部１６は、メモリやハードディスク等の記憶装置により実現されるものであり、周波数設定部１４や検出部１１や制御信号出力部１２を実現するコンピュータに内蔵されても良いし、外部装置として外付けされていても良い。また、周波数の値は、一つのみ設定可能としても良いが、使用者ごと、リハビリ対象部位ごと等、複数の周波数の値を登録可能としても良い。この場合は、周波数の値とそれを一意に特定可能な識別子とを入力させ、これらを関連付けて記憶部１６に記憶することとなる。
【００６１】
一方、自動設定とする場合、周波数設定部１４は、測定部１３にて安静状態と随意運動を行ったとき又は想起したときの状態の脳波信号の信号強度データをテストデータとして受け取り、安静状態と随意運動時又は想起時状態の脳波信号を比較するなどして、特徴抽出を行い、随意運動時又は想起時に変化が生じる周波数成分を特定する。特定された周波数成分は、検出対象となる所定周波数成分の値として記憶部１６に記憶される。このときのテストデータは複数回のテストにより取得された複数のデータであるほうが好ましい。また、特定された周波数成分の周波数の値は、表示部（図示せず）に表示し、入力部１５により随時微調整可能とするほうが好ましい。なお、テストデータは外部装置としての脳波計等により別途準備され、リハビリテーション用脳波信号処理装置１０に入力されて周波数設定部１４に引き渡されても良い。
【００６２】
検出部１１は、周波数設定部１４により周波数の値が設定されると、記憶部１６を参照し、記憶部１６に記憶されている周波数の値を取得して、その周波数の値に対応する周波数成分の強度の時間変化を検出する。
【００６３】
本実施の形態のリハビリテーションシステムの使用態様を以下に説明する。まず、初期設定として、補助者又は使用者等は、周波数設定部１４により検出対象とする周波数成分の周波数の値を設定する。
【００６４】
人為的に設定する場合、周波数の値は、補助者の経験則により設定しても良いが、より好ましくは、使用者の随意運動にともなう脳波信号の信号強度の時間変化を監視し、どの周波数成分が変化するかを明らかにすることで決定する。たとえば、使用者がリハビリテーションを行っている間、周波数時間領域における脳波信号のパワースペクトルを取得し、使用者がリハビリ対象部位の随意運動を行うか、又は、想起した時間に、パワースペクトルが変化している周波数成分を特定することにより行う。周波数の値の設定は入力部１５に周波数成分の周波数の値を入力することにより行う。たとえば、表示装置に表示されている設定画面にキーボードやマウス等を用いて入力したり、ダイヤルやボタン等により選択したりする。入力部１５から入力された周波数の値は、周波数設定部１４により受け付けられ、記憶部１６に記憶される。
【００６５】
複数の前記周波数の値を登録可能な場合は、使用者や補助者等は、初期設定として、周波数の値及びそれを一意に特定可能な識別子を入力する。入力された識別子と周波数の値は関連付けて記憶部１６に記憶される。
【００６６】
また、前記周波数の値を自動設定とする場合は、リハビリテーション用脳波信号処理装置１０のテストモードのスイッチ（図示せず）をＯＮとし、使用者に安静状態と随意運動を行うか又は想起する状態を繰り返させる。その脳波信号は、測定部１３にて測定され、周波数設定部１４にて分析されて検出対象とする周波数成分が特定され、その周波数の値が記憶部１６に記憶される。なお、テストデータとしては、別途、外部装置としての脳波計にて取得したテストデータを入力しても良い。また、記憶部１６に記憶された周波数の値は、必要に応じて入力部１５により微調整しても良い。
【００６７】
このようにして前記周波数の値が設定されると、検出部１１は、記憶部１６を参照し、記憶部１６に記憶されている周波数の値を検出対象となる周波数成分の周波数の値とし、脳波信号の信号強度の時間変化を検出する。記憶部１６に周波数の値が複数登録されている場合は、リハビリテーション実施前に、使用者や補助者等が、別途設けられる識別子入力部（図示せず）から識別子を入力すると、検出部１１は、その識別子に対応する周波数の値を記憶部１６から読み出し、その周波数の値を検出対象の周波数成分の周波数の値に設定し、その周波数成分の信号強度の時間変化の検出を行う。
【００６８】
以下、上記実施の形態と同様であるため、説明を省略する。このように、周波数の値を設定可能とすることで、適切な周波数成分を検出対象とすることができる。随意運動に付随して信号強度が変化する周波数成分は使用者の属性、障害の状態や、障害の部位、個人差などの様々な要因により、個々のケースごとに異なるが、これにより、様々なケースに対応可能となる。
【００６９】
＜第三の実施の形態＞
図４は、本実施の形態のリハビリテーションシステムＳ３を説明する説明図である。リハビリテーションシステムＳ３は、上記リハビリテーションシステムＳ２に機能が追加されたものであり、検出部１１における所定周波数成分の信号強度の時間変化を検出するときの、検出条件の設定を受け付ける検出条件設定部１７を備える。随意運動に付随して所定周波数成分がどのように変化するかは、使用者の属性、リハビリ対象部位、障害の状態、個人差など、様々な要因により異なる。これは、発明者等が実験等により新たに見出した事象である。そこで、検出条件設定部１７により検出条件を設定可能として、様々なケースに対応可能とした。なお、上記実施の形態と同一要素については同一の符号を用いて説明を省略する。
【００７０】
検出条件設定部１７による検出条件の設定は、人為的に入力されても良いし、データ解析により自動設定されても良い。
【００７１】
人為的に入力される場合、検出条件設定部１７は、入力部１５から入力された検出条件を受け付け、その検出条件を記憶部１６に記憶する。入力部１５は、キーボードやマウス等を用いて周波数の値を入力可能としても良いし、ダイヤルやボタンにより検出条件を選択的に設定することにより入力可能としても良い。検出条件は、表示部（図示せず）に表示させるようにしても良い。また、検出条件は、一つのみ設定可能としても良いが、使用者ごと、リハビリ対象部位ごと等、複数の検出条件を登録可能としても良い。この場合は、検出条件とそれを一意に特定可能な識別子とを入力させ、これらを関連付けて記憶部１６に記憶することとなる。なお、この識別子は、上記実施の形態の周波数の値に対応付けられている識別子と共通又は関連性を有するものとしても良い。
【００７２】
ここで、入力される検出条件は、所定周波数成分の信号強度の時間変化を検出可能な条件であれば良いが、本実施の形態では、信号強度と閾値とを比較することにより時間変化を検出しているため、検出条件の設定は、この閾値を入力部１５から入力することにより行われる。
【００７３】
一方、自動設定とする場合、検出条件設定部１７は、測定部１３にて安静状態と随意運動を行ったとき又は想起したときの状態の脳波信号の信号強度データをテストデータとして受け取り、安静状態と随意運動又は想起状態の脳波信号を比較するなどして、特徴抽出を行い、随意運動時又は想起時に所定周波数成分に生じる変化の規則性を導出する。導出された変化の規則性は、検出条件として記憶部１６に記憶される。本実施の形態では、検出条件設定部１７においては、特徴抽出等により安静時信号強度範囲と随意運動時信号強度範囲を特定する処理が行われ、安静時信号強度範囲の値と随意運動時信号強度の範囲の値、若しくは、その境界となる閾値が記憶部１６に記憶される。このときのテストデータは複数であるほうが好ましい。また、記憶部１６に記憶された検出条件は、表示部（図示せず）に表示し、入力部１５により随時微調整可能とするほうが好ましい。また、テストデータは外部装置としての脳波計により採取されてリハビリテーション用脳波処理装置１０に入力されても良い。
【００７４】
前記テストデータは、先ず周波数設定部１４にて周波数の値を特定し、その後に、検出条件設定部１７にて周波数設定部１４にて特定された周波数の値の変化の規則性を導出するようにしても良い。この場合、周波数設定部１４と検出条件設定部１７の処理はシームレスに行われても良い。
【００７５】
検出部１１は、検出条件設定部１７により検出条件が設定されると、記憶部１６を参照し、記憶部１６に記憶されている検出条件を用いて時間変化の検出を行う。
【００７６】
本実施の形態のリハビリテーションシステムＳ３の使用態様を以下に説明する。
まず、初期設定として、使用者又はその補助者等は、検出条件設定部１７により閾値を設定する。
【００７７】
人為的に設定する場合、検出条件は、補助者の経験則により設定しても良いが、より好ましくは、使用者の随意運動にともなう脳波信号の信号強度の時間変化を監視し、信号強度がどのように変化するかを明らかにすることで決定する。たとえば、使用者がリハビリテーションを行っている間、周波数時間領域における脳波信号のパワースペクトルを取得し、使用者がリハビリ対象部位の随意運動を行うか、又は、想起した時間に、パワースペクトルが変化している周波数成分を特定し、変化の規則性を導出する。本実施の形態では、その周波数成分の安静時信号強度範囲と随意運動時信号強度範囲を明らかにし、各範囲、又は、その境界となる閾値を入力部１５から入力する。入力部１５から入力された各範囲又は閾値は、記憶部１６に記憶される。
【００７８】
複数の前記閾値を登録可能な場合は、使用者や補助者等は、初期設定として、検出条件及びそれを一意に特定可能な識別子を入力する。入力された識別子と閾値は関連付けて記憶部１５に記憶される。
【００７９】
また、検出条件を自動設定とする場合は、リハビリテーション用脳波信号処理装置１０のテストモードのスイッチ（図示せず）をＯＮとし、使用者に安静状態と随意運動を行うか又は想起する状態を繰り返させる。その脳波信号は、測定部１３にて測定され、周波数設定部１４にて分析されて時間変化の規則性が特定され、その時間変化の規則性が検出条件として記憶部１６に記憶される。本実施の形態では、安静時信号強度範囲の値と随意運動時信号強度の範囲の値、若しくは、その境界となる閾値が記憶される。なお、テストデータとしては、別途、外部装置である脳波計により採取したテストデータを入力しても良い。また、記憶部１６に記憶された検出条件は、必要に応じて入力部１５により微調整しても良い。
【００８０】
このようにして検出条件が設定されると、検出部１１は、記憶部１６を参照して記憶されている検出条件を取得し、その検出条件に基づいて信号強度の時間変化を検出する。本実施の形態では、記憶部１６には閾値が記憶されるため、検出部１１は、その閾値を取得し、脳波の信号強度と閾値とを比較して、脳波の信号強度の時間変化を検出する。
【００８１】
記憶部１６に複数の検出条件が登録されている場合は、使用者や補助者等により別途設けられる識別子入力部（図示せず）から識別子が入力されると、検出部１１は、その識別子に対応する検出条件を記憶部１６から読み出し、その検出条件を用いて信号強度の時間変化の検出を行う。なお、この識別子は上記第二の実施の形態の識別子と共通としても良い。この場合、記憶部１６から識別子に対応する周波数の値及び検出条件を取得し、取得した周波数の値に対応する周波数成分の信号強度について、取得した検出条件に基づき、検出処理を行う。
【００８２】
以下、上記実施の形態と同様であるため、説明を省略する。このように、検出条件を設定することで、適切な検出条件に基づいて時間変化を検出できる。信号強度がどのように変化するかは、使用者の属性、障害の状態や、障害の部位、個人差などの様々な要因により、個々のケースごとに異なるが、これにより、様々なケースに対応可能となる。
【００８３】
＜本発明における電極パッド＞
図５は、本発明における電極パッド３０を側面の側から説明する説明図である。電極パッド３０は、上記実施の形態のリハビリ用脳波信号処理装置１０で用いる脳波信号を採取するために用いられるものであり、基台３１と、基台３１から突出する複数の突起状電極３２と導電層３３を備える。
【００８４】
基台３１と突起状電極３２は、一般的な脳波採取用の電極パッドと同様の構成であり、導電性を有する突起状の電極３２が平板形状や円柱形状等の基台３１に複数配列される構成を有する。突起状電極３２の個数は複数であれば良く、限定されるものではない。
【００８５】
導電層３３は、分散媒が導電性を有するジェル層から構成されるか、又は、保水性を有する柔軟性材料に導電性液体が保持された層にて構成されている。ジェルは、高粘性の分散質により流動性を失うことで系全体として固体状となるものであり、例えば親水性の樹脂マトリックスの中に水や電解質を安定的に保持させたヒドロゲルが挙げられる。また、保水性を有する柔軟性材料としては、例えばスポンジなどが挙げられ、導電性液体としては、例えば水や電解液などが挙げられる。この導電層３３は、外部から圧力がかけられると、その圧力の強さに応じて、導電性分散媒や導電性液体を外部に放出する機能を有する。なお、この導電層３３は粘着性を有し、頭皮に貼着可能なものであってもよい。また、導電層３３は、基台３１に貼着等により固定され、突起状電極３２の少なくとも先端付近とは固定されていないことが好ましい。
【００８６】
導電層３３は、複数の突起状電極３２，，，３２の間に充填されており、突起状電極３２，，，３２の先端が導電層３３に埋没するか（図５（ａ）参照）、又は、導電層３３の表面と面一となっている（図５（ｂ）参照）。
【００８７】
電極パッド３０の使用状態について以下に説明する。図６（ａ）は、電極パッド３０の使用状態を説明する説明図であり、図６（ｂ）は使用状態における電極パッド３０と頭部Ｈとの接触部分の拡大図である。電極パッド３０は、導電層３３の側を頭皮に接するようにして頭部Ｈに配置される。突起状電極３２の先端は導電層３３に埋没しているか、又は、導電層３３の表面と面一であるが、電極パッド３０を頭部Ｈに対して動かしながら押圧して接触させると、柔軟性を有する導電層３３が変形して突起状電極３２が導電層３３から突出するとともに、ブラシと同様の原理によって突起状電極３２が毛髪ｈｒを掻き分け（毛髪を整列させて頭皮を露出させ）、頭部Ｈに確実に接することとなる。このとき、導電層３３は毛髪ｈｒの厚みにより押し上げられて凹状態となり、導電層３３と頭部Ｈとの間に間隙ａが生じる。この間隙ａは、空間のままであると電気抵抗が高く、むしろコンデンサのように脳波信号を蓄電することとなることから、高インピーダンスを示し、脳波信号の採取の妨げになる。この点、電極パッド３０は、その間隙ａに、導電層３３から染み出した導電性分散媒や導電性液体が充填されるため、突起状電極３２だけでなく、導電層３３及び間隙ａの部分でも通電可能となり、インピーダンスを低減することができる。
【００８８】
ここで、導電層３３としては、剥がす作業が容易な粘着性ジェルシートを用いることが好ましい。従来の導電性ペーストを用いる場合と比較すると、導電性ペーストは粘着性が高く、脳波採取後に毛髪や頭皮に残留するため、アルコール等で溶解洗浄したり、洗髪したりするなど、後処理に時間と手間が生じていた。その点、容易に剥がすことができる粘着性保水ジェルシートを用いることにより、頭皮洗浄等が不要となり、取り外し作業の手間と時間の効率化を図ることができる。また、使い捨てとできるため、感染症も防止することができる。
【００８９】
発明者は、本発明のリハビリテーション用脳波信号処理装置及びリハビリテーションシステムの有用性を実証するために、以下の実験１と実験２を行った。
【００９０】
＜実験１＞
実験１として、健常者における随意運動想起時の脳波を取得した。被験者を成人健常者１名とし、被験者の頭部に、図７に示すように、国際１０−２０法に準拠したＣ３，Ｃ１，ＦＣ３，Ｃ５，ＣＰ３，Ｃ４，Ｃ６，ＦＣ４，Ｃ２，ＣＰ４の位置に電極を配置した。電極は、上記実施の形態の電極パッドを用いた。
【００９１】
実験タスクとして、タスク１：左手を把持運動の想起、タスク２：右手の把持運動の想起、タスク３：足を動作させる随意運動の想起、の三つのタスクを設定し、各タスクを被験者に行わせた。図８に示すように、被験者には、随意運動想起開始時刻を０とすると、−５秒から−２秒の間は安静時間、−２秒から０秒の間を準備時間、０秒から５秒の間を随意運動想起（イメージ）時間、５秒から１０秒の間を安静時間とし、タスク１からタスク３の各々について、これらを順次行わせた。
【００９２】
実験条件としては、アナログ信号としての脳波からサンプリング周波数を２５６Ｈｚとして信号をサンプリングし、ディジタル信号に変換した。また、バンドエリミネーションフィルタ（Ｎｏｔｃｈフィルタ）を用いて、一定の周波数帯域の信号を減衰させ、それ以外の帯域の信号を通過させる処理を行った。これは、商用電源に起因する電磁ノイズの混入を防ぐためである。
【００９３】
解析方法は、解析窓幅を１秒とし、解析窓にはハミング窓を使用した。解析窓のオーバーラップは８７．５％とした。そして、現在の解析窓に８７．５％オーバーラップさせるように解析窓をずらしながら、解析窓ごとにパワースペクトルを算出し、これをすべての周波数成分について行い、周波数時間領域におけるパワースペクトル分布を表すデータを生成した。
【００９４】
図９から図１１は、実験１によって得られたパワースペクトル分布を表すデータである。なお、各データは、周波数・信号強度・時間の３要素を２次元で表現するために、縦軸を周波数、横軸を時間とし、パワースペクトルの強度は色で表現している。なお、信号強度が高くなるにつれて黒→青→緑→赤と色が変化する表現となっている。
【００９５】
図９から図１１の各データは、（ａ）が右手運動野付近から採取された脳波信号のデータであり、（ｂ）が左手運動野付近から採取された脳波信号のデータである。また、各データは、図１２に示される導出方法により導出されている。図１２（ａ）は図９（ａ），図１０（ａ），図１１（ａ）に対応し、図１２（ｂ）は図９（ｂ），図１０（ｂ），図１１（ｂ）に対応している。図９を例に説明すると、図９（ａ）のうち中央のデータ（ａ−０）は図７に示されるＣ３，Ｃ１，ＦＣ３，Ｃ５，ＣＰ３の位置に配置された電極から採取された脳波の信号を用いてラプラシアン導出により導出した信号強度を示すデータであり、その右のデータ（ａ−１）はＣ３とＣ１の位置に配置された電極から採取された脳波の信号を用いて双極導出により導出した信号強度を示すデータであり、その上のデータ（ａ−２）はＣ３とＦＣ３の位置に配置された電極から採取された脳波の信号を用いて双極導出により導出した信号強度を示すデータであり、その左のデータ（ａ−３）はＣ３とＣ５の位置に配置された電極から採取された脳波の信号を用いて双極導出により導出した信号強度を示すデータであり、その下のデータ（ａ−４）はＣ３とＣＰ３の位置に配置された電極から採取された脳波の信号を用いて双極導出により導出した信号強度を示すデータである。また、図９（ｂ）のうちデータ（ｂ−０）は図７に示されるＣ４，Ｃ２，ＦＣ４，Ｃ６，ＣＰ４の位置に配置された電極から採取された脳波の信号を用いてラプラシアン導出により導出した信号強度を示すデータであり、その右のデータ（ｂ−１）はＣ３とＣ６の位置に配置された電極から採取された脳波の信号を用いて双極導出により導出した信号強度を示すデータであり、その上のデータ（ｂ−２）はＣ３とＦＣ４の位置に配置された電極から採取された脳波の信号を用いて双極導出により導出した信号強度を示すデータであり、その左のデータ（ｂ−３）はＣ４とＣ２の位置に配置された電極から採取された脳波の信号を用いて双極導出により導出した信号強度を示すデータであり、その下のデータ（ｂ−４）はＣ３とＣＰ４の位置に配置された電極から採取された脳波の信号を用いて双極導出により導出した信号強度を示すデータである。以下、図１０、図１１についても同様である。
【００９６】
タスク１：左手の把持運動の想起
左手運動野付近から採取された図９（ｂ）のデータ（ｂ−０）から（ｂ−４）を参照すると、１０Ｈｚ付近、及び、２５Ｈｚ付近の周波数成分にて、随意運動想起時間（０から５秒）に対応して、信号強度が青色を示す程度に低くなっている。この青色箇所が随意運動に伴う事象関連脱同期により信号強度が低くなった箇所である。なお、−２秒から０秒にて信号強度が低くなるのは、−２秒から０秒の準備時間から被験者が早々に随意運動を想起し始めているためである。
【００９７】
なお、右手運動野付近から採取された図９（ａ）のデータ（ａ−０）から（ａ−４）にも、随意運動想起時間に対応して信号強度が低くなる傾向が見られるが、本発明は、左手の把持運動を補助するときは、左手運動野付近の脳波の信号強度のデータ（ｂ−０）から（ｂ−４）を用いるため、これらのデータ（ｂ−０）から（ｂ−４）で時間変化が検出されれば問題はない。
【００９８】
タスク２：右手の把持運動の想起
右手運動野付近から採取された図１０（ａ）のデータ（ａ−０）から（ａ−４）を参照すると、１０Ｈｚ付近、及び、２５Ｈｚ付近にて、随意運動想起時間（０から５秒）に対応して、脳波の信号強度が青色を示す程度に低くなっている。この青色部分が随意運動に伴う事象関連脱同期により信号強度が低くなった部分である。なお、−２秒から０秒にて信号強度が弱くなるのは、−２秒から０秒の準備時間から被験者が早々に随意運動を想起し始めているためである。
【００９９】
なお、左手運動野付近から採取された図１０（ｂ）のデータ（ｂ−０）から（ｂ−４）にも、随意運動想起時間に対応して信号強度が低くなる傾向が見られるが、本発明は、右手の把持運動を補助するときは、右手運動野付近の脳波の信号強度のデータ（ａ−０）から（ａ−４）を用いるため、右手運動野付近の脳波の信号強度のデータ（ａ−０）から（ａ−４）で時間変化が検出されれば問題はない。
【０１００】
タスク３：足の随意運動を想起
図１１に示されるいずれのデータにもわずかな青色部分が見られるものの、図９（ｂ）や図１０（ａ）に示されるデータほどの特徴は見られない。足の随意運動を想起しても、右手運動野や左手運動野の付近には、脳波の信号強度に大きな時間変化が表れないことから、タスク１，２の信号強度の変化は左手把持運動又は右手把持運動に伴うものであることがわかる。
【０１０１】
すなわち、図９のデータ（ｂ−０）から（ｂ−４）や図１０のデータ（ａ−０）から（ａ−４）に表れた青色で示される範囲が上述した随意運動時信号強度範囲に相当し、それ以外が安静時信号強度範囲に相当し、随意運動信号強度範囲と安静時信号強度範囲との境界となる信号強度の値が閾値に相当する。なお、ここでは、閾値を平均安静時信号強度に対する随意運動時信号強度の割合(％)とし、具体的には患者の訓練度合いに応じて５％から３０％の間で設定する。この被験者の場合は、閾値を１５％とした。これらの結果から、１０Ｈｚ及び２５Ｈｚの周波数成分、好ましくは１０Ｈｚ以上３０Ｈｚ以下の周波数帯域に含まれる周波数成分の時間変化を検出することが好ましいことがわかる。そして、これらの周波数成分のうち、いずれかの周波数成分の信号強度が安静時信号強度範囲から随意運動時信号強度範囲に遷移したときに、検出部１１で信号強度の時間変化が検出され、リハビリテーション用運動補助装置ｋに把持姿勢とする制御信号が送られ、信号強度が随意運動時信号強度範囲から安静時信号強度範囲に遷移したときに、検出部１１で信号強度の時間変化が検出され、リハビリテーション用運動補助装置に把持姿勢を解除して手掌を開いた初期姿勢とする制御信号が送られることとなる。なお、安静時信号強度範囲や随意運動時信号強度範囲の寸断による誤動作を防止するために、所定時間以下の寸断を時間変化から除外しても良い。すなわち、検出部１１は、安静時信号強度範囲又は運動時信号強度範囲が所定時間以上の連続性を有する場合のみ、時間変化として検出するようにしても良い。なお、ここでの閾値の設定については、上記の手段に限られるものではなく、パターン認識に使われている様々な方法が使用できる。例えば、線形判別分析(Linear Discriminant Analysis ;LAD)やサポートベクターマシン(Support Vector Machine ;SVM)といった方法でもよい。
【０１０２】
なお、図９（ｂ）及び図１０（ａ）の各データにおいて、把持運動想起時（−２秒から０秒）において随意運動時信号強度範囲である青色箇所が見られるが、これは、上述したように、被験者が準備時間から把持運動を想起しているためであり、本発明によれば、この時間変化に合わせてリハビリテーション用運動補助装置が連動することとなるため、この点からも本発明が有効性であることがわかる。たとえば、補助者が規定のタイミングに合わせて随意運動を補助するリハビリテーションの場合、被験者が規定外に準備時間から想起しても、補助者は規定の時間で補助動作を行うこととなるため、補助のタイミングにずれが生じることとなるが、本発明によれば、規定のタイミングよりも早く随意運動を想起した場合であっても、その想起のタイミングに合わせて随意運動を補助することとなる。
【０１０３】
以上のことから、本発明によれば、リハビリテーションにおいて、使用者の随意運動又は随意運動の想起に合わせてタイミング良く補助を行うことができることがわかる。
【０１０４】
＜実験２＞
脳卒中片麻痺患者における随意運動想起時の脳波を取得した。被験者を左麻痺の脳卒中片麻痺患者１名とし、被験者の頭部に図１３に示すように、国際１０−２０法に準拠したＦＣ１とＣ１の位置に電極を配置した。電極は上記実施の形態の電極パッドを用いた。
【０１０５】
実験タスクは、麻痺側である左手の把持運動の想起である。図１４に示すように、被験者には、随意運動想起開始時刻を０とすると、−１０秒から−２秒の間は安静時間、−２秒から０秒の間を準備時間、０秒から５秒の間を随意運動想起（イメージ）時間とし、これらを順次行わせた。実験条件及び解析方法は上記実験１と同じである。
【０１０６】
図１５に、実験結果を示す。図１５（ａ）は、右手運動野付近から採取された脳波信号の分布を示すデータであり、図１５（ｂ）は、左手運動野付近から採取された脳波の信号強度の分布を示すデータである。信号強度は、図１５（ａ）のデータはＦＣ１とＣ１の位置（図１３参照）に配置された電極から採取された脳波信号を用いて双極導出により導出し、図１５（ｂ）のデータはＦＣ２とＣ２の位置（図１３参照）に配置された電極から採取された脳波信号を用いて双極導出により導出した。
【０１０７】
左手運動野付近から採取した脳波の信号強度を示す図１５（ｂ）のデータを参照すると、１０Ｈｚから２０Ｈｚの周波数成分にて、随意運動想起時間（０秒から５秒付近）に対応して、信号強度が青色を示す程度に低くなっている。この青色箇所が随意運動に伴う事象関連脱同期により信号強度が低くなった箇所である。
【０１０８】
なお、右手運動野付近の脳波の信号強度のデータ（図１５（ａ））にも、随意運動想起時間に対応して信号強度が低くなる傾向が見られるが、本発明は、左手の把持運動を補助するときは、左手運動野付近の脳波の信号強度のデータ（図１５（ｂ））を用いるため、左手運動野付近の信号強度のデータ（図１５（ｂ））で時間変化が検出されれば問題はない。
【０１０９】
すなわち、この被験者の場合は、リハビリテーション用信号処理装置にて１０Ｈｚ以上２０Ｈｚ以下の周波数成分の時間変化から、平均安静時信号強度に対する随意運動時信号強度の割合(％)を算出し、予め記憶させておいた閾値と算出した割合とを比較し、算出した割合が閾値よりも低い場合は随意運動想起時と判断して、リハビリテーション用補助装置を動作させることにより、タイミング良く随意運動を補助することが可能となる。なお、閾値は上記実験１と同様に設定する点、及び、安静時信号強度範囲や運動時信号強度範囲の寸断による誤動作を防止するために、安静時信号強度範囲又は運動時信号強度範囲が所定時間以上の連続性を有する場合のみ時間変化として検出するようにしても良い点、閾値の設定にはパターン認識に使用される様々な手段が使用できる点については上記実験１と同じである。
【０１１０】
＜実験３，４＞
つぎに、発明者等は、本発明の電極パッドの有用性を実証するために、以下の実験３と実験４を行った。
【０１１１】
図１６（ａ）（ｂ）に示す電極を用いて比較実験を行った。図１６（ａ）は比較対象の電極パッドＥ１であり、基台に複数の突起状電極を備え、各突起状電極の間には空間を有するものであり、図１６（ｂ）は本発明の電極パッドＥ２であり、基台に複数の突起状電極を備え、突起状電極の間に導電層として導電性ジェルが充填されているもの、すなわち、電極Ｅ１の突起状電極の間に導電性ジェルを充填したものである。
【０１１２】
電極パッドＥ１及び電極パッドＥ２を被験者の頭部に同一条件にて配置し、インピーダンスを測定した。取り付けに際しては、電極パッドＥ１，Ｅ２を頭髪を掻き分けるようにして左右に１０回動かしながら取り付けた。
【０１１３】
実験３として、被験者を高齢者（６５歳以上）男性２名とし、各３回ずつインピーダンスを測定した。また、実験４として、被験者を若年者（２３歳から２５歳）３名とし、各３回ずつインピーダンスを測定した。なお、「−」は１００ｋΩ以上を表す。
【０１１４】
図１７は実験３の結果を示す図であり、図１８は実験４の結果を示す図である。ほとんどのケースにおいて、電極パッドＥ１に比較して電極パッドＥ２のインピーダンスが低い値を示している。これは、電極パッドＥ２によると、導電層、及び、導電層と頭皮との間に生じる間隙を充填する導電性分散媒により、突起状電極のみならず、それらの間も導電性を有することとなるためである。したがって、本発明の電極パッドによれば、頭皮と電極間のインピーダンスを低減し、本発明のリハビリテーション用脳波信号処理装置に有用な脳波信号を採取することが可能となる。
【０１１５】
このように、本発明のリハビリテーション用脳波信号処理装置、及び、リハビリテーションシステムによれば、随意運動に伴う脳波の信号強度の時間変化を検出し、その時間変化に合わせてリハビリテーション用運動補助装置を動作させるため、使用者が随意運動を行うか、又は、想起したタイミングに合わせて、その随意運動を補助することが可能となる。とくに、リハビリ対象部位に対応する運動野付近から採取される脳波信号を用い、更にその脳波信号から所定の周波数成分のみに限定して変化を検出するため、随意運動に付随した変化を確実に検出することができ、非常に高いリハビリ効果を得ることが可能となる。また、本発明の電極パッドによれば、頭部と電極間のインピーダンスを低減することが可能となり、本発明のリハビリテーション用脳波信号処理装置に有用な脳波信号を採取することが可能となる。
【０１１６】
なお、本発明は、上述した実施の形態に限定されるものではない。例えば、上述した実施の形態では、手の把持運動のリハビリテーションに使用されるものを例に説明したが、上肢、下肢、手指、上肢、その他、身体の部位の随意運動のリハビリテーションに使用されるものであれば良い。この場合は、そのリハビリ部位や随意運動の種類に応じて時間変化を検出し、制御信号を出力すれば良く、上記実施の形態に限定されるものではない。また、リハビリテーション用運動補助装置についても、例えば、膝の屈曲伸展を補助するものや、肘の屈曲伸展を補助するものや、歩行を補助するものや、そのリハビリ部位と随意運動に応じた装置とすれば良く、上記実施の形態に限定されるものではない。
【０１１７】
また、上述した実施の形態では、電極を用いて脳波信号を取得するものとして説明したが、脳波信号を取得可能であれば必ずしも電極を用いる必要はない。ただし、本発明は、非侵襲的に脳波測定を行うのが望ましいことから、電極を用いて脳波信号を取得するのが好適である。この場合、電極が配置されたヘッドセットを用意し、これを観測者の頭部に装着するようにすることにより、容易に脳波信号を取得することが可能となる。さらには、本発明の電極パッドを用いることにより、インピーダンスを抑制できるため、好適である。
【０１１８】
さらに、上述した実施の形態では、脳波を測定する測定部における処理については特に詳細には言及していないが、例えば、信号の周波数に応じて解析窓長を変化させたり、任意の解析窓を適用可能であり、使用する解析窓や解析窓長によって解析精度を向上させることが期待できる。
【０１１９】
さらに、上記各実施の形態において、筋電信号によりリハビリテーション用運動補助装置を制御する機能を備えるようにしても良い。脳波信号による制御と、筋電信号による制御とを、患者の状態に応じて適宜利用することにより、更なるリハビリ効果が期待できるためである。この場合、電極等の筋電信号採取手段をリハビリ対象部位付近に配置し、リハビリ対象部位の筋電信号を採取する。筋電信号採取手段からの信号は、リハビリテーション用筋電信号処理装置にリアルタイムに入力され、筋電信号が検知されると、リハビリテーション用運動補助装置を動作させる制御信号を出力する。リハビリテーション用運動補助装置はリハビリテーション用筋電信号処理装置から制御信号を受信すると、その制御信号に応じて動作することとなる。脳波信号による制御とするか、筋電信号による制御とするかは、患者の運動麻痺の状態に応じて適宜判断すればよい。なお、リハビリテーション用筋電信号処理装置と本発明のリハビリテーション用脳波処理装置とは、両機能を備えるコンピュータシステムにより実現して一体的に構成しても良いし、各々を独立したコンピュータシステムにより実現して別体として構成しても良い。
【０１２０】
このように、本発明は、その趣旨を逸脱しない範囲で適宜変更が可能であることはいうまでもない。
【符号の説明】
【０１２１】
Ｓ１，Ｓ２，Ｓ３      リハビリテーションシステム、
１０                  リハビリテーション用脳波信号処理装置、
１１                  検出部、
１２                  制御信号出力部、
１３                  測定部、
１４                  周波数設定部、
１５                  入力部、
１６                  記憶部、
１７                  検出条件設定部、
２０                  リハビリテーション用運動補助装置、
２１                  装着部、
２１ａ                装着部第一部材、
２１ｂ                装着部第二部材、
２２                  駆動部、
２２ａ                駆動源、
２２ａ１              モータ、
２２ａ２              制御回路、
２２ｂ                動力伝達部、
２２ｂ１              動力伝達部第一部材、
２２ｂ２              動力伝達部第二部材、
３０                  電極パッド、
３１                  基台、
３２                  突起状電極、
３３                  導電層、
Ｈ                    頭部、
Ｈｎ                  手、
ｈｒ                  毛髪
【図１】
0005813981.tif 000002
【図２】
0005813981.tif 000003
【図３】
0005813981.tif 000004
【図４】
0005813981.tif 000005
【図５】
0005813981.tif 000006
【図６】
0005813981.tif 000007
【図７】
0005813981.tif 000008
【図８】
0005813981.tif 000009
【図９】
0005813981.tif 000010
【図１０】
0005813981.tif 000011
【図１１】
0005813981.tif 000012
【図１２】
0005813981.tif 000013
【図１３】
0005813981.tif 000014
【図１４】
0005813981.tif 000015
【図１５】
0005813981.tif 000016
【図１６】
0005813981.tif 000017
【図１７】
0005813981.tif 000018
【図１８】
0005813981.tif 000019